【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
格納されているメッセージの無線装置への送信を起動するためのメッセージ処理システムの動作のための方法であって、該方法が、
発信装置から送られた識別情報を受信するステップと、
前記発信装置の位置を表しているロケーション情報を受信するステップと、
前記受信された識別情報およびロケーション情報を、格納されている値と比較するステップと、
前記比較のステップに基づいて前記無線装置に対してメッセージを起動するステップとを含む方法。
【請求項２】
前記識別情報およびロケーション情報が受信された時刻を決定するステップをさらに含み、前記メッセージを起動するステップが、さらに前記時刻に基づいていることを特徴とする、請求項１に記載の方法。
【請求項３】
前記起動のステップが、
あらかじめ格納された特殊メッセージを検索するステップと、
前記あらかじめ格納された特殊メッセージの前記無線装置への送信を起動するステップとをさらに含むことを特徴とする、請求項１に記載の方法。
【請求項４】
電話回線が前記発信装置に接続されていて、前記発信装置の位置を表しているロケーション情報を受信する前記ステップが、
自動番号識別（ＡＮＩ）情報を受信するステップを含んでいることを特徴とする、請求項１に記載の方法。
【請求項５】
識別情報を受信する前記ステップが、
デュアル・トーン多重周波数パルスを介して送られた識別情報を受信するステップを含むことを特徴とする、請求項４に記載の方法。
【請求項６】
前記発信装置が無線装置であって、前記ロケーション情報がグローバル・ポジショニング・システムの座標値であることを特徴とする、請求項１に記載の方法。
【請求項７】
メッセージを起動する前記ステップが、ページング・メッセージをページング端末に対して送信するステップをさらに含むことを特徴とする、請求項１に記載の方法。
【請求項８】
発信装置から受信されたロケーション情報および識別情報に基づいて無線装置に対してメッセージを起動するためのメッセージ・プラットホームであって、
発信装置から送られた識別情報を受信するための手段と、
前記発信装置の位置を表しているロケーション情報を受信するための手段と、
前記受信された識別情報とロケーション情報を、格納されている値と比較するための手段と、
前記受信された識別情報およびロケーション情報と前記格納されている値との比較に基づいて、前記無線装置に対してメッセージを起動するための手段とを含むメッセージ・プラットホーム。
【請求項９】
前記識別情報およびロケーション情報が受信された時刻を決定するための手段をさらに含み、前記メッセージを起動するための手段が、さらに前記時刻に基づいて前記メッセージを起動することを特徴とする、請求項８に記載のメッセージ・プラットホーム。
【請求項１０】
メッセージを起動するための前記手段が、
あらかじめ格納された特殊メッセージを検索するための手段と、
前記あらかじめ格納されたメッセージの前記無線装置への送信を起動するための手段とをさらに含むことを特徴とする、請求項８に記載のメッセージ・プラットホーム。
【請求項１１】
ロケーション情報を受信するための前記手段が、
自動番号識別（ＡＮＩ）情報を受信するための手段を含むことを特徴とする、請求項８に記載のメッセージ・プラットホーム。
【請求項１２】
識別情報を受信するための前記手段が、
デュアル・トーン多重周波数パルスを介して送られた識別情報を受信するための手段を含むことを特徴とする、請求項１１に記載のメッセージ・プラットホーム。
【請求項１３】
前記発信装置が無線装置であって、前記ロケーション情報がグローバル・ポジショニング・システムの座標値であることを特徴とする、請求項８に記載のメッセージ・プラットホーム。
【請求項１４】
メッセージを起動するための前記手段が、ページング端末に対してページング・メッセージを送信するための手段をさらに含むことを特徴とする、請求項８に記載のメッセージ・プラットホーム。
【請求項１５】
発信装置から受信されたロケーション情報および識別情報に基づいて、無線装置に対してメッセージを起動するためのメッセージ・プラットホームであって、
ロケーション情報および識別情報を格納しているデータベースと、
前記受信されたロケーション情報および識別情報を前記格納されているロケーション情報および識別情報と比較するため、及び前記比較の結果に基づいて無線装置に対して前記メッセージを起動するために、前記データベースに接続されている処理ユニットとを含むメッセージ・プラットホーム。
【請求項１６】
時計回路をさらに含み、
前記処理ユニットが、前記識別情報およびロケーション情報が受信された時刻を決定するために、前記時計回路を使うように構成されていて、前記メッセージの起動がさらに前記時刻に基づいていることを特徴とする、請求項１５に記載のメッセージ・プラットホーム。
【請求項１７】
あらかじめ格納された特殊メッセージが前記データベースの中に格納されていて、
前記処理ユニットは前記あらかじめ格納された特殊メッセージを検索するように構成されていて、
前記処理ユニットは前記あらかじめ格納された特殊メッセージの前記無線装置への送信を起動するように構成されていることを特徴とする、請求項１５に記載のメッセージ・プラットホーム。
【請求項１８】
前記処理ユニットが、自動番号識別（ＡＮＩ）情報を受信するように構成されていることを特徴とする、請求項１５に記載のメッセージ・プラットホーム。
【請求項１９】
前記処理ユニットが、デュアル・トーン多重周波数パルスを介して送られた識別情報を受信するように構成されていることを特徴とする、請求項１８に記載のメッセージ・プラットホーム。
【請求項２０】
前記発信装置が無線装置であって、前記ロケーション情報がグローバル・ポジショニング・システムの座標値であることを特徴とする、請求項１５に記載のメッセージ・プラットホーム。
【請求項２１】
前記処理ユニットがページング端末に対してページング・メッセージを起動するように構成されていることを特徴とする、請求項１５に記載のメッセージ・プラットホーム。
【請求項２２】
通信システムによってページャに対して特殊メッセージを送信するための方法であって、前記通信システムにおいて、パーソナル・コンピュータがエンド・オフィスを経由してメッセージ・プラットホームへ識別情報を送信し、前記エンド・オフィスは前記識別情報が送信される時に前記パーソナル・コンピュータの位置を識別する自動番号識別（ＡＮＩ）情報を発生し、該方法が、
メッセージ・プラットホームによって前記パーソナル・コンピュータから前記識別情報を受信するステップと、
前記メッセージ・プラットホームによって前記エンド・オフィスから前記ＡＮＩ情報を受信するステップと、
前記メッセージ・プラットホームによって前記識別情報および前記ＡＮＩ情報を処理し、前記特殊メッセージの送信を起動するかどうかを決定するステップとを含む方法。
【請求項２３】
前記識別情報および前記ＡＮＩ情報の処理に基づいて前記特殊メッセージが送信されるべきであると判定された場合に、前記ページャに対して前記特殊メッセージの送信を起動するステップをさらに含んでいる、請求項２２に記載の方法。
【請求項２４】
前記パーソナル・コンピュータからの前記識別情報を、前記メッセージ・プラットホームの中に格納されているあらかじめ格納された識別情報に対して比較するステップと、
前記エンド・オフィスからの前記ＡＮＩ情報を、前記メッセージ・プラットホームの中に格納されているあらかじめ格納されたＡＮＩ情報に対して比較するステップと、
前記エンド・オフィスからの前記ＡＮＩ情報が前記あらかじめ格納されたＡＮＩ情報にマッチし、前記識別情報が前記あらかじめ格納された識別情報にマッチした時に、前記特殊メッセージの送信を起動するステップとをさらに含んでいる、請求項２２に記載の方法。
【請求項２５】
あらかじめ格納された時間のウィンドウを前記メッセージ・プラットホームに提供するステップと、
あらかじめ格納された識別情報とマッチする識別情報およびあらかじめ格納されたＡＮＩ情報とマッチするＡＮＩ情報が、前記あらかじめ格納された時間のウィンドウの範囲内で受信されなかった場合に、前記特殊メッセージの送信を起動するステップとをさらに含んでいる、請求項２２に記載の方法。
【請求項２６】
前記メッセージ・プラットホームにあらかじめ格納される時間のウィンドウを提供するステップと、
前記識別情報が受信された時刻を決定するステップと、
前記時刻が前記時間ウィンドウの範囲内にあって、前記パーソナル・コンピュータからの前記識別情報が前記メッセージ・プラットホームの中に格納されているあらかじめ格納された識別情報とマッチし、前記エンド・オフィスからの前記ＡＮＩ情報が前記メッセージ・プラットホームの中に格納されているあらかじめ格納されたＡＮＩ情報にマッチした場合に、前記特殊メッセージの送信を起動するステップとをさらに含んでいる、請求項２２に記載の方法。
【請求項２７】
前記識別情報に対応しているあらかじめ格納された特殊メッセージとして、前記メッセージ・プラットホームの中に前記特殊メッセージを格納するステップをさらに含んでいる、請求項２２に記載の方法。
【請求項２８】
通信システムにおいて使うためのメッセージ・プラットホームであって、前記通信システムにおいて、パーソナル・コンピュータが公衆交換電話網を経由して識別情報を送信し、前記識別情報が送信される時にエンド・オフィスが前記パーソナル・コンピュータの位置を識別する自動番号識別（ＡＮＩ）情報を発生し、前記メッセージ・プラットホームは、
前記パーソナル・コンピュータから前記識別情報を受信するための手段と、
前記エンド・オフィスから前記ＡＮＩ情報を受信するための手段と、
前記特殊メッセージの送信を起動するかどうかを決定するために、前記識別情報および前記ＡＮＩ情報を処理するための手段とを含むメッセージ・プラットホーム。
【請求項２９】
前記処理するための手段による前記識別情報および前記ＡＮＩ情報の処理の結果から、前記特殊メッセージが送信されるべきであると決定された場合に、ページャに対する前記特殊メッセージの送信を起動するための手段をさらに含んでいる、請求項２８に記載のメッセージ・プラットホーム。
【請求項３０】
前記パーソナル・コンピュータからの前記識別情報を、前記メッセージ・プラットホームの中に格納されているあらかじめ格納された識別情報に対して比較するための手段と、
前記エンド・オフィスからの前記ＡＮＩ情報を、前記メッセージ・プラットホームの中に格納されているあらかじめ格納されたＡＮＩ情報に対して比較するための手段と、
前記エンド・オフィスからの前記ＡＮＩ情報が前記あらかじめ格納されたＡＮＩ情報にマッチし、前記識別情報が前記あらかじめ格納された識別情報にマッチした場合に、ページャに対する前記特殊メッセージの送信を起動するための手段とをさらに含んでいる、請求項２８に記載のメッセージ・プラットホーム。
【請求項３１】
あらかじめ格納される時間のウィンドウを前記メッセージ・プラットホームに提供するための手段と、
あらかじめ格納された識別情報とマッチする識別情報、およびあらかじめ格納されたＡＮＩ情報とマッチするＡＮＩ情報が、前記あらかじめ格納された時間ウィンドウの範囲内で受信されなかった場合に、前記特殊メッセージの送信を起動するための手段とをさら含んでいる、請求項２８に記載のメッセージ・プラットホーム。
【請求項３２】
前記メッセージ・プラットホームに時間ウィンドウを提供するための手段と、
前記識別情報が受信された時刻を決定するための手段と、
前記時刻が前記時間ウィンドウの範囲内にあって、前記パーソナル・コンピュータからの前記識別情報が、前記メッセージ・プラットホームの中に格納されているあらかじめ格納された識別情報とマッチし、そして前記エンド・オフィスからの前記ＡＮＩ情報が前記メッセージ・プラットホームの中に格納されているあらかじめ格納されたＡＮＩ情報にマッチした場合に、前記特殊メッセージの送信を起動するための手段とをさらに含んでいる、請求項２８に記載のメッセージ・プラットホーム。
【請求項３３】
前記識別情報に対応しているあらかじめ格納された特殊メッセージとして、前記特殊メッセージを格納するための記憶ユニットをさらに含んでいる、請求項２８に記載のメッセージ・プラットホーム。